(57)【要約】【課題】反射光の影響を受け難く、適正に照度を測定できるプロジェクターを提供する。【解決手段】プロジェクター１に有する外装筐体１０と、プロジェクター１が設置される空間の照度を測定するセンサー部２と、を備え、外装筐体１０は、法線方向（矢印Ａ）が投写面（スクリーンＳＣ）から離れる方向となる傾斜面部３１を備え、センサー部２は、傾斜面部３１に設置されている。また、傾斜面部３１は、投写レンズ５８３のフォーカス調整やズーム調整を行うフォーカスレバー５８３ａやズームレバー５８３ｂを露出させるために外装筐体１０に設置される調整用溝部３に形成されている。【選択図】図３
2015143742.tif 000002
【特許請求の範囲】
【請求項１】
光源装置から射出された光を画像情報に応じて変調し、変調された前記光を、投写レンズを介して投写面に投写するプロジェクターであって、
前記プロジェクターに有する外装筐体と、
前記プロジェクターが設置される空間の照度を測定するセンサー部と、を備え、
前記外装筐体は、法線方向が前記投写面から離れる方向となる傾斜面部を備え、
前記センサー部は、前記傾斜面部に設置されていることを特徴とするプロジェクター。
【請求項２】
請求項１に記載のプロジェクターであって、
前記傾斜面部は、前記外装筐体の上面に設置されていることを特徴とするプロジェクター。
【請求項３】
請求項１または請求項２に記載のプロジェクターであって、
前記傾斜面部は、前記外装筐体の前記投写レンズ側となる前方向に設置されていることを特徴とするプロジェクター。
【請求項４】
請求項１に記載のプロジェクターであって、
前記外装筐体が前記投写レンズを覆うように形成される場合、
前記センサー部は、前記投写レンズの背面側の前記傾斜面部に設置されることを特徴とするプロジェクター。
【請求項５】
請求項１〜請求項３のいずれか一項に記載のプロジェクターであって、
前記投写レンズのフォーカス調整および/またはズーム調整を行うレバーと、
前記レバーを露出させるために前記外装筐体に設置される溝部と、を備え、
前記センサー部は、前記溝部に形成された前記傾斜面部に設置されていることを特徴とするプロジェクター。
【請求項６】
請求項１〜請求項５のいずれか一項に記載のプロジェクターであって、
前記センサー部で測定される前記照度に対応する駆動電圧値を記憶する記憶部と、
前記光源装置の駆動電圧を切り替え可能に駆動する光源制御部と、
前記プロジェクターの動作を制御する制御部と、を備え、
前記制御部は、前記センサー部に所定時間毎に前記照度を測定させ、測定された当該照度に対応する前記駆動電圧値を前記記憶部から読み込み、前記光源制御部に当該駆動電圧値となるように前記駆動電圧を切り替えさせることを特徴とするプロジェクター。
【発明の詳細な説明】
【技術分野】
【０００１】
本発明は、プロジェクターに関する。
【背景技術】
【０００２】
従来、光源から射出された光を画像情報に応じて変調し、変調された光を画像光として投写レンズで投写するプロジェクターが知られている。また、プロジェクターに照度センサーを設置して、プロジェクターが設置される周囲の照度を測定することにより、周囲の照度に対応させて、自動的に輝度や色合いを調整して投写するプロジェクターも知られている。
【０００３】
特許文献１では、プロジェクターの使用環境の照度を測定する照度センサーと、プロジェクターの設置角度の傾斜を測定する角度センサーとを備え、プロジェクターの設置角度を変更しても、照度センサーからの出力を補正して適正に投影輝度を制御するプロジェクターが開示されている。
【０００４】
特許文献２では、周囲の明るさを検出する光検出部（照度センサー）を備え、ユーザーが画質調整モードを選択しなくても、周囲の明るさに応じた適切な画質で画像を鑑賞することが可能なプロジェクターが開示されている。
【先行技術文献】
【特許文献】
【０００５】
【特許文献１】特開２０１２−１９８４３９号公報
【特許文献２】特開２０１０−２４３８７０号公報
【発明の概要】
【発明が解決しようとする課題】
【０００６】
しかしながら、特許文献１，２では、照度センサーは、プロジェクターの上面に設置されて照度を測定している。この設置では、投写レンズから画像光が投写される前に照度を測定する場合には、周囲の環境（明るさ）を適正に測定することができるが、投写された後での測定においては、スクリーン等の投写面により反射した光を測定しやすくなり、適正な測定が行われないという課題がある。
従って、反射光の影響を受け難く、適正に照度を測定できるプロジェクターが要望されていた。
【課題を解決するための手段】
【０００７】
本発明は、上述の課題の少なくとも一部を解決するためになされたものであり、以下の形態または適用例として実現することが可能である。
【０００８】
［適用例１］本適用例に係るプロジェクターは、光源装置から射出された光を画像情報に応じて変調し、変調された光を、投写レンズを介して投写面に投写するプロジェクターであって、プロジェクターに有する外装筐体と、プロジェクターが設置される空間の照度を測定するセンサー部と、を備え、外装筐体は、法線方向が投写面から離れる方向となる傾斜面部を備え、センサー部は、傾斜面部に設置されていることを特徴とする。
【０００９】
このようなプロジェクターによれば、センサー部は、外装筐体の、法線方向が投写面から離れる方向となる傾斜面部に設置される。これにより、センサー部は、反射光の影響を受け難くなり、適正に照度を測定することができる。
【００１０】
［適用例２］上記適用例に係るプロジェクターにおいて、傾斜面部は、外装筐体の上面に設置されていることが好ましい。
【００１１】
プロジェクターの設置の仕方として、通常は机上面に設置されることが多い。この場合、外装筐体の上面の傾斜面部にセンサー部が設置されることで、センサー部は、反射光の影響を受け難くなり、適正に照度を測定することができる。
【００１２】
［適用例３］上記適用例に係るプロジェクターにおいて、傾斜面部は、外装筐体の投写レンズ側となる前方向に設置されていることが好ましい。
【００１３】
プロジェクターの設置の仕方として、外装筐体の後方（投写レンズ側に対向する側で、一般的に接続ケーブルが接続される側）がボックス内に収容されて使用される場合がある。このように、外装筐体の後方が隠された状態で使用される場合、外装筐体の投写レンズ側となる前方向の傾斜面部にセンサー部が設置されることで、センサー部は、反射光の影響を受け難くなり、適正に照度を測定することができる。
【００１４】
［適用例４］上記適用例に係るプロジェクターにおいて、外装筐体が投写レンズを覆うように形成される場合、センサー部は、投写レンズの背面側の傾斜面部に設置されることが好ましい。
【００１５】
プロジェクターをスクリーン等の投写面に近づけて投写する場合がある。この場合、投写レンズの口径を大きくする必要があり、投写レンズの口径が、投写レンズ以外の構成部を覆う外装筐体の厚さ（上下方向の距離）より大きくなる場合がある。このような投写レンズを用いた場合に、投写レンズを覆う外装筐体（この場合には、投写レンズを包む外装筐体であってもよい）の背面側の傾斜面部にセンサー部を設置することにより、センサー部は、反射光の影響を受け難くなり、適正に照度を測定することができる。
【００１６】
［適用例５］上記適用例に係るプロジェクターにおいて、投写レンズのフォーカス調整および/またはズーム調整を行うレバーと、レバーを露出させるために外装筐体に設置される溝部と、を備え、センサー部は、溝部に形成された傾斜面部に設置されていることが好ましい。
【００１７】
このようなプロジェクターによれば、センサー部を設置するための傾斜面部を、外装筐体に特別に形成する必要が無く、溝部の傾斜面部を利用して設置することができるため、設計が容易となる。また、外観デザインのイメージを崩すことが無くなる。
【００１８】
［適用例６］上記適用例に係るプロジェクターにおいて、センサー部で測定される照度に対応する駆動電圧値を記憶する記憶部と、光源装置の駆動電圧を切り替え可能に駆動する光源制御部と、プロジェクターの動作を制御する制御部と、を備え、制御部は、センサー部に所定時間毎に照度を測定させ、測定された照度に対応する駆動電圧値を記憶部から読み込み、光源制御部に当該駆動電圧値となるように駆動電圧を切り替えさせることが好ましい。
【００１９】
このようなプロジェクターによれば、制御部は、センサー部に所定時間毎に照度を測定させ、測定された照度に対応する駆動電圧値を記憶部から読み込み、光源制御部に当該駆動電圧値となるように駆動電圧を切り替えさせることにより、ユーザーの操作を必要とせずに、環境に応じた適切な輝度で投写することができる。これにより、プロジェクターの利便性が向上する。
【図面の簡単な説明】
【００２０】
【図１】第１実施形態に係るプロジェクターを前面側から見た外観斜視図。
【図２】プロジェクターを背面側から見た外観斜視図。
【図３】センサー部の概断面図。
【図４】プロジェクターの概回路構成を示すブロック図。
【図５】第２実施形態に係るセンサー部の外装筐体への設置の仕方を示す説明図。
【発明を実施するための形態】
【００２１】
以下、実施形態を図面に基づいて説明する。
〔第１実施形態〕
【００２２】
図１は、本実施形態に係るプロジェクター１を前面１０ｃ側から見た外観斜視図である。図２は、プロジェクター１を背面１０ｄ側から見た外観斜視図であり、図２（ａ）は、プロジェクター１の外観斜視図であり、図２（ｂ）は、センサー部２が設置される調整用溝部３の拡大図である。
【００２３】
本実施形態は、プロジェクター１が机上面（図示省略）に設置されていることを前提にして説明する。また、図１を含め、以降に示す図では、説明の便宜上、ＸＹＺ直交座標系を併記して、適宜使用する。また、本実施形態のＸＹＺ直交座標系は、プロジェクター１から投写される画像光の投写方向をＺ軸（＋Ｚ方向）とする。そして、Ｚ軸に直交し、水平（左右）方向をＸ軸（投写レンズ５８３の先端に相対して見た場合の右方向が＋Ｘ方向）とし、Ｚ軸とＸ軸とに直交する垂直（上下）方向をＹ軸（投写レンズ５８３の先端面に相対して見た場合の上方向を＋Ｙ方向）とする。
【００２４】
プロジェクター１は、光源装置５８１、光変調装置（液晶パネル５８２）（いずれも図４参照）、および投写レンズ５８３等の光学系を備えている。そして、プロジェクター１は、外部から入力される画像情報に応じて、光源装置５８１から射出された光を光変調装置で変調し、変調された光（画像光）を投写レンズ５８３で拡大して、投写面としてのスクリーンＳＣ（図３，４参照）等に投写する。なお、プロジェクター１の光学系の構成の説明は省略する。
【００２５】
〔プロジェクター１の外観構成と動作〕
図１、図２に示すように、本実施形態のプロジェクター１は、概直方体となる外装筐体１０で覆われている。外装筐体１０は、内部に、光学系、電気回路系、および冷却系等を構成する構成部材を収容している。外装筐体１０は、上ケース１１、下ケース１２で概ね構成されている。上ケース１１は、外装筐体１０の上面１０ａ、前面１０ｃ、背面１０ｄ、右面１０ｅ、左面１０ｆを構成している。下ケース１２は、外装筐体１０の下面１０ｂを構成している。プロジェクター１（外装筐体１０）は、上面１０ａに対して、凸状部が無く、滑らかに繋がる曲面を有するデザイン（外装デザイン）としている。
【００２６】
前面１０ｃには、内部に収容する投写レンズ５８３から投写される光を通過させる開口部１１１を備えている。また、投写レンズ５８３と開口部１１１との間には、スライドして開口部１１１を開閉するレンズカバー１１２を備えている。
【００２７】
開口部１１１の上側となる上面１０ａには、レンズカバー１１２をスライドさせる際に把持する把持部１１３を露出させ、左右方向（Ｘ軸方向）へのスライドを可能とするスライド用溝部１１４を備えている。図１、図２では、把持部１１３は、スライド用溝部１１４の左側（−Ｘ方向）端部に位置しており、この状態では、レンズカバー１１２は、開口部１１１を開放させた状態（投写レンズ５８３を露出させた状態）となる。また、把持部１１３を右側（＋Ｘ方向）端部に移動させた場合、レンズカバー１１２は、開口部１１１を閉塞した状態（投写レンズ５８３を隠した状態）となる。
【００２８】
上面１０ａには、スライド用溝部１１４の背面１０ｄ側に、投写レンズ５８３に設置されるフォーカスレバー５８３ａ及びズームレバー５８３ｂを露出させ、投写画像のフォーカス調整やズーム調整を可能とする調整用溝部３を備えている。なお、フォーカス調整やズーム調整を行う際には、対応するフォーカスレバー５８３ａまたはズームレバー５８３ｂを把持して左右方向（Ｘ軸方向）に移動（回動）させる。
なお、フォーカスレバー５８３ａおよびズームレバー５８３ｂは、外装筐体１０から延出しない、言い換えると、上ケース１１の上面１０ａから延出しない。
【００２９】
上面１０ａの背面１０ｄ側には、ユーザーが操作入力を行うための複数の操作キー５６１ａを有した操作パネル５６１を備えている。また、上面１０ａの操作パネル５６１の左側（−Ｘ方向）には、光源用カバー１１８が着脱可能に設置されている。光源装置５８１を交換する際には、この光源用カバー１１８を着脱して交換する。
【００３０】
図１に示すように、右面１０ｅには、プロジェクター１の内部を冷却するための外気を取り込む吸気口１２１を備えた吸気用カバー１２０が設置されている。吸気用カバー１２０は、着脱可能に設置され、内部に設置される防塵用のフィルター（図示省略）を交換する際に着脱する。前面１０ｃには、プロジェクター１内部の温まった空気を排出する排気口１２２が設置されている。
【００３１】
図２に示すように、背面１０ｄには、電源端子５９や複数の画像入力端子５０を含む接続端子群１２４を備えている。電源端子５９は、電源ケーブル（図示省略）を接続することで、外部からプロジェクター１にＡＣ１００Ｖ等の商用電源を供給する。画像入力端子５０は、外部機器と接続ケーブル等を介して接続され、画像情報が入力される。
【００３２】
図１、図２に示すように、下ケース１２の下面１０ｂには、プロジェクター１の本体を支える３つの脚部１２３が設置されている。脚部１２３は、前面１０ｃ側に１つ、背面１０ｄ側に２つ備えている。前面１０ｃ側の脚部１２３は、伸縮可能に設置され、投写角度を可変できる。背面１０ｄ側の脚部１２３は固定されている。
【００３３】
図３は、センサー部２の概断面図を示す。なお、図３は、センサー部２をＹ-Ｚ平面で切断した部分的な概略の断面図であり、レンズカバー１１２やスライド用溝部１１４等は説明の便宜上、図示を省略している。図２（ｂ）、図３を参照して、センサー部２とプロジェクター１の概動作、調整用溝部３の構成、傾斜面部３１の構成と作用、センサー部２の構成と動作等に関して説明する。
【００３４】
〔センサー部２とプロジェクター１の概動作〕
センサー部２は、プロジェクター１が設置される空間（周囲）の照度を測定するために設けられている。プロジェクター１は、センサー部２で測定した照度（照度データ）に応じて、投写する際の輝度（駆動電圧）を切り替えている。本実施形態では、低輝度と高輝度とに切り替えている。センサー部２とプロジェクター１（制御部５４）の動作の詳細は、以降の図４で示すプロジェクター１の回路構成を説明する中で説明する。
【００３５】
〔調整用溝部３の構成〕
調整用溝部３は、上面１０ａからの平面視で概矩形状をなし、下方向（−Ｙ方向）に行くに従い狭くなり、下端部３０が開口している。言い換えると、調整用溝部３は、下端部３０から上方向（＋Ｙ方向）に向かって、４方向（前面方向（＋Ｚ方向）、背面方向（−Ｚ方向）、右方向（＋Ｘ方向）、左方向（−Ｘ方向））に広がる傾斜面部を有して構成されている。ここで、前面方向の傾斜面部を傾斜面部３１（図２）、背面方向の傾斜面部を傾斜面部３２（図１）、右方向の傾斜面部を傾斜面部３３（図２）、左方向の傾斜面部を傾斜面部３４（図１）とする。
【００３６】
なお、調整用溝部３は、外装筐体１０の上面１０ａに設置されている。言い換えると、傾斜面部３１は、外装筐体１０の上面１０ａに設置されている。また、調整用溝部３は、外装筐体１０の投写レンズ５８３側となる前方向（前面１０ｃ方向）に設置されている。言い換えると、傾斜面部３１は、外装筐体１０の投写レンズ５８３側となる前方向（前面１０ｃ方向）に設置されている。
【００３７】
〔傾斜面部３１の構成と作用〕
図２（ｂ）、図３に示すように、傾斜面部３１は、法線方向（矢印Ａ）がスクリーンＳＣ（図３）から離れる方向となるように形成されている。従って、傾斜面部３１は、図３に示すように、スクリーンＳＣからの反射光（矢印Ｃ）が外装筐体１０（上ケース１１）の上面１０ａで遮られることにより、反射光が直接当たらない面となっている。なお、矢印Ｂは、投写方向を示しており、スクリーンＳＣは、矢印Ｂの前方に設置される。
【００３８】
〔センサー部２の構成と動作〕
センサー部２は、図３に示すように、この傾斜面部３１に設置されている。従って、センサー部２は、反射光（矢印Ｃ）の影響を受け難くなり、反射光を直接測定してしまうことが抑制される。本実施形態では、センサー部２は、傾斜面部３１の法線方向（矢印Ａ）の照度（明るさ）を測定している。
【００３９】
なお、センサー部２は、図３に示すように、カバー２１、光ガイド２２、照度センサー２３、回路基板２４、接続ケーブル（図示省略）等で構成されている。カバー２１は、透明な部材で形成されており、傾斜面部３１に固定され、周囲の光を内部に透過させる。光ガイド２２は、カバー２１を透過した光を照度センサー２３に導く。また、光ガイド２２は、プロジェクター１の光源装置５８１からの漏れた光が照度センサー２３に入射することを防止している。
【００４０】
照度センサー２３は、回路基板２４に実装されており、回路基板２４は、光ガイド２２を保持して外装筐体１０に固定されている。なお、照度センサー２３で測定された照度データは、回路基板２４に接続する接続ケーブルを介して、メイン基板（図示省略）に実装される制御部５４（図４）に出力される。
【００４１】
〔プロジェクター１の回路構成と動作〕
図４は、プロジェクター１の概回路構成を示すブロック図である。
【００４２】
図４に示すように、プロジェクター１は、画像入力端子５０、画像信号入力部５１、画像信号処理部５２、ＯＳＤ（On-Screen Display）処理部５３、制御部５４、記憶部５５、センサー部２、入力操作部５６、光源制御部５７、画像投写部５８、電源端子５９、電源部６０等で構成されている。また、これらの回路ブロックは、プロジェクター１の外装筐体１０（図示省略）の内部または外面に配置されている。
【００４３】
画像投写部５８は、光源装置５８１、３つの透過型の液晶パネル５８２（５８２Ｒ，５８２Ｇ，５８２Ｂ）、投写レンズ５８３、液晶駆動部５８４等を含んでいる。画像投写部５８は、光源装置５８１から射出された光を、光変調装置としての液晶パネル５８２Ｒ，５８２Ｇ，５８２Ｂで変調し、変調された光（画像光）を投写レンズ５８３から投写することによって、スクリーンＳＣ等の投写面に投写画像として表示する。
【００４４】
光源装置５８１は、超高圧水銀ランプやメタルハライドランプ等の放電型の光源ランプ５８１ａと、リフレクター５８１ｂとを含んで構成されている。そして、液晶駆動部５８４は、入力される画像データに応じた駆動電圧を、各液晶パネル５８２Ｒ，５８２Ｇ，５８２Ｂを構成する画素に印加する。これにより、各画素は、画像情報に応じた光透過率に設定される。このため、光源装置５８１から射出された光は、この液晶パネル５８２Ｒ，５８２Ｇ，５８２Ｂを透過することによって変調され、画像情報に応じた画像光が色光毎に形成される。形成された各色の画像光は、色合成光学系（図示省略）によって画素毎に合成されてカラーの画像光となった後、投写レンズ５８３によってスクリーンＳＣ等に拡大投写される。
【００４５】
入力操作部５６は、ユーザーがプロジェクター１に対して各種指示を行うための複数の操作キー５６１ａで構成される操作パネル５６１（いずれも図１、図２参照）を備えている。ユーザーが入力操作部５６の各種操作キー５６１ａを操作すると、入力操作部５６は、ユーザーの操作内容に応じた操作信号を制御部５４に出力する。
【００４６】
画像信号入力部５１は、制御部５４の指示に基づき、ビデオ再生装置やＰＣ（パーソナルコンピューター）等の外部の画像出力装置から、ケーブルを接続する複数の画像入力端子５０を介して画像情報を入力し、画像信号処理部５２に出力する。なお、画像信号入力部５１は、無線通信や光通信等の受信部を備え、外部機器から無線によって画像信号を入力する構成としてもよい。
【００４７】
画像信号処理部５２は、画像信号入力部５１から入力される画像情報を、液晶パネル５８２Ｒ，５８２Ｇ，５８２Ｂの各画素の階調を表す画像情報に変換する。
ＯＳＤ処理部５３は、制御部５４の指示に基づいて、投写画像上に、メニュー画像やメッセージ画像等のＯＳＤ画像を重畳して表示するための処理を行う。
【００４８】
制御部５４は、ＣＰＵ（Central Processing Unit）や、各種データ等の一時記憶に用いられるＲＡＭ（Random Access Memory）等を備え、記憶部５５に記憶されている制御プログラム（図示せず）に従って動作することによりプロジェクター１の動作を統括制御する。つまり、制御部５４は、記憶部５５と共にコンピューターとして機能する。
【００４９】
記憶部５５は、フラッシュメモリーやＦｅＲＡＭ（Ferroelectric RAM：強誘電体メモリー）等の書き換え可能な不揮発性のメモリーにより構成されており、プロジェクター１の動作を制御するための制御プログラムや、プロジェクター１の動作条件等を規定する各種設定データ等が記憶されている。
【００５０】
また、記憶部５５は、本実施形態では、センサー部２で測定される照度に対応する駆動電圧値が記録されたテーブル（図示省略）が記憶されている。詳細には、本実施形態では、テーブルとして、高輝度と低輝度となる２つの駆動電圧値が、照度の所定の範囲に対応して記憶されている。
【００５１】
センサー部２は、制御部５４の指示に基づき、プロジェクター１が設置される周囲の照度（明るさ）を測定し、制御部５４に測定結果を出力する。
【００５２】
光源制御部５７は、制御部５４の指示に基づき、光源装置５８１に対する電力の供給と停止とを制御し、光源装置５８１の点灯および消灯を切り替える。なお、光源装置５８１を点灯させる場合、光源制御部５７は、電源部６０からの電力が供給され、光源装置５８１（本実施形態では交流点灯型の超高圧水銀ランプ）を点灯させるための駆動電圧（パルス電圧）を生成して出力し、光源装置５８１の電極を放電させて点灯させる。また、本実施形態では、光源制御部５７は、制御部５４の指示に基づき、指示された駆動電圧値となるように駆動電圧を生成し、光源装置５８１を駆動する電圧を切り替える。
【００５３】
電源部６０は、ＡＣ１００Ｖ等の電力が電源端子５９を介して外部から供給される。電源部６０は、商用電源（交流電源）を所定の電圧の直流電源に変換して、プロジェクター１の各部に変換した電力を供給する。また、電源部６０は、制御部５４の指示に基づいて、画像の投写に必要な電力（動作電力）を各部に供給する状態（電源オン状態）と、動作電力の供給を停止して、電源をオンにするための操作を待機する状態（スタンバイ状態）とを切り替えることができる。
【００５４】
ここで、本実施形態での制御部５４の動作を説明する。
最初に、制御部５４は、センサー部２に対して、所定時間毎（例えば１分毎）に照度を測定させる指示を行う。次に、制御部５４は、記憶部５５の照度と駆動電圧値とのテーブルを読み込み、測定された照度が、高輝度となる範囲内か、低輝度となる範囲内かを判断し、高輝度となる駆動電圧値、または低輝度となる駆動電圧値のいずれかに設定する。次に、制御部５４は、光源制御部５７に指示をして、設定した駆動電圧値となるように駆動電圧を生成させ、光源装置５８１の駆動電圧を切り替えさせる制御を行う。
【００５５】
以上の制御部５４の動作により、プロジェクター１は、高輝度と低輝度とのいずれかの輝度となるように投写する。なお、プロジェクター１は、上述したテーブルの設定によるが、概略、周囲の照度が低い（周囲が暗い）場合には低輝度で投写し、周囲の照度が高い（周囲が明るい）場合には高輝度で投写する。
【００５６】
本実施形態のプロジェクター１によれば、以下の効果が得られる。
【００５７】
本実施形態のプロジェクター１において、センサー部２は、外装筐体１０の、法線方向（矢印Ａ）が投写面としてのスクリーンＳＣから離れる方向となる傾斜面部３１に設置される。これにより、センサー部２は、反射光（矢印Ｃ）の影響を受け難くなり、適正に照度を測定することができる。
【００５８】
本実施形態のプロジェクター１は、机上面に設置されている。そして、傾斜面部３１は、外装筐体１０の上面１０ａに設置されている。この場合、外装筐体１０の上面１０ａの傾斜面部３１にセンサー部２が設置されることで、センサー部２は、反射光の影響を受け難くなり、適正に照度を測定することができる。
【００５９】
本実施形態のプロジェクター１において、傾斜面部３１は、外装筐体１０の投写レンズ５８３側となる前方向（前面１０ｃ方向）に設置されている。従って、プロジェクター１が、外装筐体１０の後方（背面１０ｄ）側を、例えば、ボックス内に収容されて設置および使用される場合にも、センサー部２は、反射光の影響を受け難くなり、適正に照度を測定することができる。
【００６０】
本実施形態のプロジェクター１によれば、センサー部２を設置するための傾斜面部を、外装筐体１０に特別に形成する必要が無く、調整用溝部３の傾斜面部３１を利用して設置することができるため、設計が容易となる。また、外観デザインのイメージを崩すことが無くなる。
【００６１】
本実施形態のプロジェクター１によれば、制御部５４は、センサー部２に所定時間毎に照度を測定させ、測定された照度に対応する駆動電圧値を記憶部５５から読み込み、光源制御部５７に当該駆動電圧値となるように駆動電圧を切り替えさせることにより、ユーザーの操作を必要とせずに、環境に応じた適切な輝度で投写することができる。これにより、プロジェクター１の利便性が向上する。
【００６２】
本実施形態のプロジェクター１によれば、プロジェクター１の設置される周囲の照度に応じて、輝度を切り替えることができるため、無駄な電力消費を抑えることができ、省エネ化を図ることができる。
〔第２実施形態〕
【００６３】
図５は、第２実施形態に係るセンサー部２の外装筐体１０への設置の仕方を示す説明図であり、図５（ａ）は上面１０ａに設置した場合の概略図であり、図５（ｂ）は左面１０ｆに設置した場合の概略図であり、図５（ｃ）は上面１０ａと背面１０ｄとのコーナー部に設置した場合の概略図であり、図５（ｄ）は、近接プロジェクターの投写レンズ５８３Ａの傾斜面部１０ｇに設置した概略図である。
【００６４】
図５（ａ）から図５（ｃ）に示すプロジェクター１Ａ，１Ｂ，１Ｃは、第１実施形態のプロジェクター１と同様の構成であり、外装筐体１０と投写レンズ５８３を取り出して図示し、その他の構成は図示を省略している。また、図５（ｄ）に示すプロジェクター１Ｄは、プロジェクター１ＤをスクリーンＳＣに近づけて投写するいわゆる近接プロジェクターとして構成された場合を示している。なお、図示省略するスクリーンＳＣは、第１実施形態と同様に、投写レンズ５８３，５８３Ａの前方に設置されている。
【００６５】
図５（ａ）に示すプロジェクター１Ａは、上面１０ａに三角柱状の突起部７を形成し、突起部７には、法線方向がスクリーンＳＣから離れる方向となる傾斜面部７１を備えている。そして、この傾斜面部７１にセンサー部２を設置している。
【００６６】
図５（ｂ）に示すプロジェクター１Ｂは、左面１０ｆに三角柱状の突起部８を形成し、突起部８には、法線方向がスクリーンＳＣから離れる方向となる傾斜面部８１を備えている。そして、この傾斜面部８１にセンサー部２を設置している。
【００６７】
図５（ｃ）に示すプロジェクター１Ｃは、上面１０ａと背面１０ｄとのコーナー部に、法線方向がスクリーンＳＣから離れる方向となる傾斜面部９１を備えている。そして、この傾斜面部９１にセンサー部２を設置している。
【００６８】
図５（ｄ）に示すプロジェクター１Ｄは、プロジェクター１ＤをスクリーンＳＣに近づけて投写する近接プロジェクターである。このプロジェクター１Ｄは、投写レンズ５８３Ａの口径を第１実施形態の投写レンズ５８３の口径より大きくする必要がある。その場合、投写レンズ５８３Ａの口径が、投写レンズ５８３Ａ以外の構成部を覆う外装筐体１０の厚さ（上下方向（Ｙ軸方向）の距離）より上方向（＋Ｙ方向）に突出する。このようなプロジェクター１Ｄの場合、外装筐体１０は、投写レンズ５８３Ａを覆うように、曲面となる傾斜面部１０ｇを上面１０ａから延出させる。なお、この傾斜面部１０ｇは、法線方向がスクリーンＳＣから離れる方向となるため、この傾斜面部１０ｇにセンサー部２を設置する。
【００６９】
本実施形態のプロジェクター１によれば、以下の効果が得られる。
【００７０】
本実施形態のプロジェクター１Ａ，１Ｂ，１Ｃにおいて、センサー部２は、外装筐体１０の、法線方向がスクリーンＳＣから離れる方向となる傾斜面部７１，８１，９１に設置することにより、センサー部２は、反射光の影響を受け難くなり、適正に照度を測定することができる。特に、プロジェクターは机上面に設置されることが多いため、外装筐体１０の上面１０ａに傾斜面部７１を設け、センサー部２を設置することにより、反射光の影響を受け難くなり、適正に照度を測定することができる。
【００７１】
本実施形態のプロジェクター１Ｄにおいて、センサー部２は、延出させて投写レンズ５８３Ａを覆った外装筐体１０の法線方向がスクリーンＳＣから離れる方向となる傾斜面部１０ｇにセンサー部２を設置することにより、センサー部２は、反射光の影響を受け難くなり、適正に照度を測定することができる。
【００７２】
本実施形態のプロジェクター１Ｄのように、近接プロジェクターの場合、投写レンズ５８３Ａを覆う外装筐体１０の傾斜面部１０ｇを利用して、センサー部２を設置することができ、外装筐体１０に特別に傾斜面部を形成する必要が無いため、設計が容易となる。また、外観デザインのイメージを崩すことが無くなる。
【００７３】
なお、上述した実施形態に限定されず、その要旨を逸脱しない範囲において種々の変更や改良等を加えて実施することが可能である。変形例を以下に述べる。
【００７４】
前記第２実施形態のプロジェクター１Ｄにおいて、傾斜面部１０ｇは、外装筐体１０の上面１０ａが延出して投写レンズ５８３Ａを覆っている。しかし、傾斜面部１０ｇは上面１０ａと別体であってもよい。この場合、傾斜面部１０ｇは、投写レンズ５８３Ａを覆う外装筐体として構成され、投写レンズ５８３Ａをプロジェクター１Ｄの本体に組み立てた場合に、外装筐体１０と一体となる構成でもよい。
【００７５】
前記第２実施形態のプロジェクター１Ａにおいて、突起部７（傾斜面部７１）を外装筐体１０の投写レンズ５８３側となる前方向（＋Ｚ方向）に形成することにより、プロジェクター１Ａの背面１０ｄ側が隠された状態でボックス（図示省略）内に収容されて使用される場合にも、センサー部２は、反射光の影響を受け難くなり、適正に照度を測定することができる。
【００７６】
前記第１実施形態のプロジェクター１と、前記第２実施形態のプロジェクター１Ａ，１Ｂ，１Ｃとは、プロジェクターを机上面に設置することを前提として説明したが、プロジェクターを天井面などに吊下げて設置する場合にも適用できる。その場合には、下面１０ｂが天井面側に対向するように上下を逆転させて設置することでよい。また、上下を逆転せずに吊下げる場合には、下面１０ｂに、法線方向がスクリーンＳＣから離れる方向となる傾斜面部を備え、その傾斜面部にセンサー部２を設置することでもよい。
【００７７】
前記第１実施形態のプロジェクター１（制御部５４）は、高輝度と低輝度との２つに駆動電圧を切り替えて投写している。しかし、これに限られず、３つ以上の輝度に切り替えて投写することでもよい。これは、前記第２実施形態のプロジェクター１Ａ，１Ｂ，１Ｃ，１Ｄにおいても同様となる。
【００７８】
前記第１実施形態のプロジェクター１において、センサー部２は、フォーカスレバー５８３ａおよびズームレバー５８３ｂを露出させる調整用溝部３の傾斜面部３１に設置されている。しかし、上面等に、フォーカス調整やズーム調整以外の他の調整機構（例えば、レンズシフト機構等）が設置され、本実施形態の傾斜面部３１と同様の傾斜面部が設けられる場合には、その傾斜面部にセンサー部２を設置することでもよい。
【００７９】
前記第１実施形態のプロジェクター１において、調整用溝部３には、フォーカスレバー５８３ａおよびズームレバー５８３ｂが設置されている。しかし、いずれか一方のレバーが設置されていることでもよい。
【００８０】
前記第１実施形態のプロジェクター１において、光源装置５８１は、放電型の光源ランプ５８１ａを用いている。しかし、これに限られず、固体光源を用いた光源装置を用いてもよい。固体光源としては、レーザー光源、ＬＥＤ（Light emitting diode）素子、有機ＥＬ（Electro Luminescence）素子、シリコン発光素子等の各種固体発光素子等があげられる。これは、前記第２実施形態のプロジェクター１Ａ，１Ｂ，１Ｃ，１Ｄにおいても同様となる。
【００８１】
前記第１実施形態のプロジェクター１は、光変調装置として透過型の液晶パネル５８２を用いている。しかし、これに限られず、反射型の液晶パネルを用いてもよい。これは、前記第２実施形態のプロジェクター１Ａ，１Ｂ，１Ｃ，１Ｄにおいても同様となる。
【００８２】
前記第１実施形態のプロジェクター１は、光変調装置として透過型の光変調装置を用いている。しかし、これに限られず、マイクロミラー型の光変調装置等、他の方式の光変調装置を用いることができる。なお、マイクロミラー型の光変調装置としては、例えば、ＤＭＤ（Digital Micromirror Device：テキサス・インスツルメンツ社の商標）を用いることができる。これは、前記第２実施形態のプロジェクター１Ａ，１Ｂ，１Ｃ，１Ｄにおいても同様となる。
【符号の説明】
【００８３】
１，１Ａ，１Ｂ，１Ｃ，１Ｄ…プロジェクター、２…センサー部、３…調整用溝部、１０…外装筐体、１０ａ…上面、３１…傾斜面部、５４…制御部、５５…記憶部、５７…光源制御部、７１，８１，９１，１０ｇ…傾斜面部、５８１…光源装置、５８２…液晶パネル、５８３，５８３Ａ…投写レンズ、５８３ａ…フォーカスレバー、５８３ｂ…ズームレバー、Ａ…法線方向を示す矢印、ＳＣ…スクリーン（投写面）。
【図１】
2015143742.tif 000003
【図２】
2015143742.tif 000004
【図３】
2015143742.tif 000005
【図４】
2015143742.tif 000006
【図５】
2015143742.tif 000007